(57)【要約】【課題】本発明は車内水晶飾りを開示した。【解決手段】外殻を含み、前記外殻の前後端面はいずれも透明な設計であり、前記外殻の中には空きチャンバが設置され、前記空きチャンバの中には正多面体が設置され、前記正多面体は水晶材料であり、前記正多面体の中には球形チャンバが設置され、前記球形チャンバの中には六角形体が固定的に設置され、前記六角形体の中には砂時計が設置され、前記空きチャンバの中には液体水があり、前記空きチャンバの頂壁には吸気穴が設置され、前記吸気穴の頂端には空気ガイド管が設置され、前記空気ガイド管が左右に対称的に設置される。【選択図】図１
2020139935.tif 000002
【特許請求の範囲】
【請求項１】
正面視で、外殻を含み、前記外殻の前後端面はいずれも透明な設計であり、前記外殻の中には空きチャンバが設置され、前記空きチャンバの中には正多面体が設置され、前記正多面体は水晶材料であり、前記正多面体の中には球形チャンバが設置され、前記球形チャンバの中には六角形体が固定的に設置され、前記六角形体の中には砂時計が設置され、前記空きチャンバの中には液体水があり、前記空きチャンバの頂壁には吸気穴が設置され、前記吸気穴の頂端には空気ガイド管が設置され、前記空気ガイド管が左右に対称的に設置され、前記外殻の底部には台座が固定的に設置され、前記空気ガイド管が下に前記台座の中に挿入されており、前記空きチャンバの左右両側端壁の中には円チャンバが対称的設置され、前記円チャンバの頂部には伝動チャンバが設置され、前記伝動チャンバの中には前記正多面体を翻転させることができる翻転機構が設置され、それにより砂時計を翻転させることができ、前記台座の中には左右に対称的な底部チャンバが設置され、前記底部チャンバの頂部にはベルトチャンバが設置され、前記空きチャンバの底壁には回転盤が回転できるように設置され、前記回転盤が左右に対称的に設置され、前記底部チャンバの中には泡機構が設置され、前記泡機構が泡を生成し、また前記回転盤により前記空きチャンバの中に排出できることを特徴とする車内水晶飾り。
【請求項２】
前記翻転機構は前記円チャンバの右壁の中に回転できるように設置される翻転軸を含み、前記翻転軸の右端と前記正多面体とが固定的に連結され、前記翻転軸の左側端には歯車が固定的に設置され、前記伝動チャンバと前記円チャンバとの間には導電ラックがスライドできるように設置され、前記導電ラックの下半部分と前記歯車とが噛合するように設置され、前記導電ラックの右端には復帰ブロックが固定的に設置され、前記伝動チャンバの中には扇状歯車が回転できるように設置され、前記扇状歯車と前記導電ラックとが間欠的に噛合でき、前記伝動チャンバの頂壁にはスライド溝が設置され、前記導電ラックの上半部分と前記スライド溝とがスライドできるように連結され、前記スライド溝の中には導電板が固定的に設置され、前記導電板の右側にはイルミネーションが固定的に設置され、前記扇状歯車が回転し、前記導電ラックを間欠的に上下に移動させ、前記導電ラックと前記導電板とを間欠的に接触させ、それにより前記イルミネーションを間欠的に点滅させ、前記導電ラックが歯車を回転連動させ、前記翻転軸に前記正多面体を翻転連動させ、それにより前記砂時計を翻転させることを特徴とする請求項１に記載の車内水晶飾り。
【請求項３】
前記泡機構は前記ベルトチャンバの中に回転できるように設置されるスリーブを含み、前記スリーブの頂端と前記回転盤の底端とが固定され、前記回転盤の中には円溝が設置され、前記回転盤の頂端には排気穴が固定的に設置され、前記排気穴と前記円溝とが連通しており、前記スリーブの底端には第一傘歯車が固定的に設置され、前記第一傘歯車が前記底部チャンバの中に位置しており、前記スリーブの外周にはプーリーが固定的に設置され、二つの前記プーリーの間がベルトにより伝動できるように連結され、二組の前記底部チャンバの間には管路が連通するように設置され、前記管路が前記スリーブを貫通しており、且つ前記円溝と連通しており、また前記管路が前記第一傘歯車と前記スリーブと回転できるように連結され、前記管路の中部には小型ポンプが設置され、前記小型ポンプと前記管路とが連通しており、前記空気ガイド管の底端が後ろに曲がり、また前記ベルトチャンバの後側を経由し前記小型ポンプと連通しており、前記空きチャンバの中にある前記泡が前記吸気穴から前記空気ガイド管の中に入り、そして前記小型ポンプに入り前記管路の中に吸われ、前記排気穴から前記空きチャンバの中に吹かれ、循環を生成し、前記スリーブが前記回転盤を回転連動させることを特徴とする請求項１に記載の車内水晶飾り。
【請求項４】
前記台座の中には左右に対称的な動力チャンバが設置され、前記動力チャンバの中には伝動傘歯車が回転できるように設置され、前記伝動傘歯車と前記伝動チャンバとの間が巻糸により伝動できるように連結され、前記動力チャンバと前記底部チャンバとの間には動力軸が回転できるように設置され、前記動力軸の一端には第二傘歯車が固定的に設置され、前記第二傘歯車と前記第一傘歯車とが噛合しており、前記動力軸の外周には第三傘歯車が固定的に設置され、前記第三傘歯車と前記伝動傘歯車とが噛合するように設置され、左側の前記動力チャンバの左側端壁の中にはモーターが固定的に植設され、前記モーターと左側の前記動力軸とが伝動できるように連結され、前記モーターの作動を制御し、前記動力軸を回転させ、それにより前記第二傘歯車に前記第一傘歯車を回転連動させ、前記第三傘歯車が前記伝動傘歯車を回転連動させ、前記スリーブと前記扇状歯車とを回転できるようにさせることを特徴とする請求項１に記載の車内水晶飾り。
【発明の詳細な説明】
【技術分野】
【０００１】
本発明は車内飾り技術分野を取り上げて、具体的には車内水晶飾りである。
【背景技術】
【０００２】
現在の車内飾りは構造が簡単であり、機能が単一であり、飾り作用しか果たさなく、鑑賞性と楽しさが足りなく、従って、鑑賞性が高い車内水晶飾りを設計する必要がある。
【先行技術文献】
【特許文献】
【０００３】
【特許文献１】中国特許出願公開第１０５４８０００１号明細書
【発明の概要】
【発明が解決しようとする課題】
【０００４】
本発明の目的は車内水晶飾りを提供し、それは上記の現在の技術中の問題を解決できる。
【課題を解決するための手段】
【０００５】
本発明の車内水晶飾りは、外殻を含み、前記外殻の前後端面はいずれも透明な設計であり、前記外殻の中には空きチャンバが設置され、前記空きチャンバの中には正多面体が設置され、前記正多面体は水晶材料であり、前記正多面体の中には球形チャンバが設置され、前記球形チャンバの中には六角形体が固定的に設置され、前記六角形体の中には砂時計が設置され、前記空きチャンバの中には液体水があり、前記空きチャンバの頂壁には吸気穴が設置され、前記吸気穴の頂端には空気ガイド管が設置され、前記空気ガイド管が左右に対称的に設置され、前記外殻の底部には台座が固定的に設置され、前記空気ガイド管が下に前記台座の中に挿入されており、前記空きチャンバの左右両側端壁の中には円チャンバが対称的設置され、前記円チャンバの頂部には伝動チャンバが設置され、前記伝動チャンバの中には前記正多面体を翻転させることができる翻転機構が設置され、それにより砂時計を翻転させることができ、前記台座の中には左右に対称的な底部チャンバが設置され、前記底部チャンバの頂部にはベルトチャンバが設置され、前記空きチャンバの底壁には回転盤が回転できるように設置され、前記回転盤が左右に対称的に設置され、前記底部チャンバの中には泡機構が設置され、前記泡機構が泡を生成し、また前記回転盤により前記空きチャンバの中に排出できる。
【０００６】
さらなる技術プラン、前記翻転機構は前記円チャンバの右壁の中に回転できるように設置される翻転軸を含み、前記翻転軸の右端と前記正多面体とが固定的に連結され、前記翻転軸の左側端には歯車が固定的に設置され、前記伝動チャンバと前記円チャンバとの間には導電ラックがスライドできるように設置され、前記導電ラックの下半部分と前記歯車とが噛合するように設置され、前記導電ラックの右端には復帰ブロックが固定的に設置され、前記伝動チャンバの中には扇状歯車が回転できるように設置され、前記扇状歯車と前記導電ラックとが間欠的に噛合でき、前記伝動チャンバの頂壁にはスライド溝が設置され、前記導電ラックの上半部分と前記スライド溝とがスライドできるように連結され、前記スライド溝の中には導電板が固定的に設置され、前記導電板の右側にはイルミネーションが固定的に設置され、前記扇状歯車が回転し、前記導電ラックを間欠的に上下に移動させ、前記導電ラックと前記導電板とを間欠的に接触させ、それにより前記イルミネーションを間欠的に点滅させ、前記導電ラックが歯車を回転連動させ、前記翻転軸に前記正多面体を翻転連動させ、それにより前記砂時計を翻転させる。
【０００７】
さらなる技術プラン、前記泡機構は前記ベルトチャンバの中に回転できるように設置されるスリーブを含み、前記スリーブの頂端と前記回転盤の底端とが固定され、前記回転盤の中には円溝が設置され、前記回転盤の頂端には排気穴が固定的に設置され、前記排気穴と前記円溝とが連通しており、前記スリーブの底端には第一傘歯車が固定的に設置され、前記第一傘歯車が前記底部チャンバの中に位置しており、前記スリーブの外周にはプーリーが固定的に設置され、二つの前記プーリーの間がベルトにより伝動できるように連結され、二組の前記底部チャンバの間には管路が連通するように設置され、前記管路が前記スリーブを貫通しており、且つ前記円溝と連通しており、また前記管路が前記第一傘歯車と前記スリーブと回転できるように連結され、前記管路の中部には小型ポンプが設置され、前記小型ポンプと前記管路とが連通しており、前記空気ガイド管の底端が後ろに曲がり、また前記ベルトチャンバの後側を経由し前記小型ポンプと連通しており、前記空きチャンバの中にある前記泡が前記吸気穴から前記空気ガイド管の中に入り、そして前記小型ポンプに入り前記管路の中に吸われ、前記排気穴から前記空きチャンバの中に吹かれ、循環を生成し、前記スリーブが前記回転盤を回転連動させ、それにより吹き出された前記泡をより美しくなるようにさせる。
【０００８】
さらなる技術プラン、前記台座の中には左右に対称的な動力チャンバが設置され、前記動力チャンバの中には伝動傘歯車が回転できるように設置され、前記伝動傘歯車と前記伝動チャンバとの間が巻糸により伝動できるように連結され、前記動力チャンバと前記底部チャンバとの間には動力軸が回転できるように設置され、前記動力軸の一端には第二傘歯車が固定的に設置され、前記第二傘歯車と前記第一傘歯車とが噛合しており、前記動力軸の外周には第三傘歯車が固定的に設置され、前記第三傘歯車と前記伝動傘歯車とが噛合するように設置され、左側の前記動力チャンバの左側端壁の中にはモーターが固定的に植設され、前記モーターと左側の前記動力軸とが伝動できるように連結され、前記モーターの作動を制御し、前記動力軸を回転させ、それにより前記第二傘歯車に前記第一傘歯車を回転連動させ、前記第三傘歯車が前記伝動傘歯車を回転連動させ、前記スリーブと前記扇状歯車とを回転できるようにさせる。
【発明の効果】
【０００９】
本発明の有益的な効果は：本発明の車内水晶飾りは導電ラックと導電板との間欠的な接触により、イルミネーションを点滅させ、同時に排気穴が泡を生成でき、美観性を増加し、同時に砂時計の設計が本発明の楽しさを増加する。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の車内水晶飾りの内部全体構造概略図
【図２】図２は本発明の図１のＡの局部拡大概略図
【図３】図３は本発明の図１のＢの局部拡大概略図
【発明を実施するための形態】
【００１２】
図１〜３を参照し、本発明の車内水晶飾りは、外殻１０を含み、前記外殻１０の前後端面はいずれも透明な設計であり、前記外殻１０の中には空きチャンバ１５が設置され、前記空きチャンバ１５の中には正多面体１６が設置され、前記正多面体１６は水晶材料であり、前記正多面体１６の中には球形チャンバ１８が設置され、前記球形チャンバ１８の中には六角形体１９が固定的に設置され、前記六角形体１９の中には砂時計２０が設置され、前記空きチャンバ１５の中には液体水１７があり、前記空きチャンバ１５の頂壁には吸気穴１４が設置され、前記吸気穴１４の頂端には空気ガイド管２３が設置され、前記空気ガイド管２３が左右に対称的に設置され、前記外殻１０の底部には台座２１が固定的に設置され、前記空気ガイド管２３が下に前記台座２１の中に挿入されており、前記空きチャンバ１５の左右両側端壁の中には円チャンバ２８が対称的設置され、前記円チャンバ２８の頂部には伝動チャンバ２４が設置され、前記伝動チャンバ２４の中には前記正多面体１６を翻転させることができる翻転機構６１が設置され、それにより砂時計２０を翻転させることができ、前記台座２１の中には左右に対称的な底部チャンバ４３が設置され、前記底部チャンバ４３の頂部にはベルトチャンバ３７が設置され、前記空きチャンバ１５の底壁には回転盤３３が回転できるように設置され、前記回転盤３３が左右に対称的に設置され、前記底部チャンバ４３の中には泡機構６２が設置され、前記泡機構６２が泡３５を生成し、また前記回転盤３３により前記空きチャンバ１５の中に排出できる。
【００１３】
前記翻転機構６１は前記円チャンバ２８の右壁の中に回転できるように設置される翻転軸２９を含み、前記翻転軸２９の右端と前記正多面体１６とが固定的に連結され、前記翻転軸２９の左側端には歯車３０が固定的に設置され、前記伝動チャンバ２４と前記円チャンバ２８との間には導電ラック２６がスライドできるように設置され、前記導電ラック２６の下半部分と前記歯車３０とが噛合するように設置され、前記導電ラック２６の右端には復帰ブロック２７が固定的に設置され、前記伝動チャンバ２４の中には扇状歯車２５が回転できるように設置され、前記扇状歯車２５と前記導電ラック２６とが間欠的に噛合でき、前記伝動チャンバ２４の頂壁にはスライド溝１１が設置され、前記導電ラック２６の上半部分と前記スライド溝１１とがスライドできるように連結され、前記スライド溝１１の中には導電板１２が固定的に設置され、前記導電板１２の右側にはイルミネーション１３が固定的に設置され、前記扇状歯車２５が回転し、前記導電ラック２６を間欠的に上下に移動させ、前記導電ラック２６と前記導電板１２とを間欠的に接触させ、それにより前記イルミネーション１３を間欠的に点滅させ、前記導電ラック２６が歯車３０を回転連動させ、前記翻転軸２９に前記正多面体１６を翻転連動させ、それにより前記砂時計２０を翻転させる。
【００１４】
前記泡機構６２は前記ベルトチャンバ３７の中に回転できるように設置されるスリーブ５０を含み、前記スリーブ５０の頂端と前記回転盤３３の底端とが固定され、前記回転盤３３の中には円溝３２が設置され、前記回転盤３３の頂端には排気穴３４が固定的に設置され、前記排気穴３４と前記円溝３２とが連通しており、前記スリーブ５０の底端には第一傘歯車４０が固定的に設置され、前記第一傘歯車４０が前記底部チャンバ４３の中に位置しており、前記スリーブ５０の外周にはプーリー３８が固定的に設置され、二つの前記プーリー３８の間がベルト３９により伝動できるように連結され、二組の前記底部チャンバ４３の間には管路４２が連通するように設置され、前記管路４２が前記スリーブ５０を貫通しており、且つ前記円溝３２と連通しており、また前記管路４２が前記第一傘歯車４０と前記スリーブ５０と回転できるように連結され、前記管路４２の中部には小型ポンプ４４が設置され、前記小型ポンプ４４と前記管路４２とが連通しており、前記空気ガイド管２３の底端が後ろに曲がり、また前記ベルトチャンバ３７の後側を経由し前記小型ポンプ４４と連通しており、前記空きチャンバ１５の中にある前記泡が前記吸気穴１４から前記空気ガイド管２３の中に入り、そして前記小型ポンプ４４に入り前記管路４２の中に吸われ、前記排気穴３４から前記空きチャンバ１５の中に吹かれ、循環を生成し、前記スリーブ５０が前記回転盤３３を回転連動させ、それにより吹き出された前記泡３５をより美しくなるようにさせる。
【００１５】
前記台座２１の中には左右に対称的な動力チャンバ４７が設置され、前記動力チャンバ４７の中には伝動傘歯車４６が回転できるように設置され、前記伝動傘歯車４６と前記伝動チャンバ２４との間が巻糸３１により伝動できるように連結され、前記動力チャンバ４７と前記底部チャンバ４３との間には動力軸３６が回転できるように設置され、前記動力軸３６の一端には第二傘歯車４１が固定的に設置され、前記第二傘歯車４１と前記第一傘歯車４０とが噛合しており、前記動力軸３６の外周には第三傘歯車４５が固定的に設置され、前記第三傘歯車４５と前記伝動傘歯車４６とが噛合するように設置され、左側の前記動力チャンバ４７の左側端壁の中にはモーター４８が固定的に植設され、前記モーター４８と左側の前記動力軸３６とが伝動できるように連結され、前記モーター４８の作動を制御し、前記動力軸３６を回転させ、それにより前記第二傘歯車４１に前記第一傘歯車４０を回転連動させ、前記第三傘歯車４５が前記伝動傘歯車４６を回転連動させ、前記スリーブ５０と前記扇状歯車２５とを回転できるようにさせる。
【００１６】
使用するとき、モーター４８を始動し、動力軸３６を緩やかに回転させ、それにより第二傘歯車４１に第一傘歯車４０を回転連動させ、第一傘歯車４０がスリーブ５０を回転連動させ、回転盤３３を回転させ、同時に、第三傘歯車４５が伝動傘歯車４６を回転連動させ、扇状歯車２５を回転させ、それにより導電ラック２６を上下に往復にスライドさせ、それにより翻転軸２９を回転連動させ、正多面体１６を往復に翻転させ、同時に導電ラック２６が間欠的に導電板１２と接続し、イルミネーション１３を点滅させ、小型ポンプ４４を始動し、空きチャンバ１５の中にある泡を吸気穴１４により空気ガイド管２３の中に入らせ、また小型ポンプ４４により管路４２の中に吸われ、排気穴３４に泡を生成させ、美観性を増加する。
【００１７】
本発明の有益的な効果は：本発明の車内水晶飾りは導電ラックと導電板との間欠的な接触により、イルミネーションを点滅させ、同時に排気穴が泡を生成でき、美観性を増加し、同時に砂時計の設計が本発明の楽しさを増加する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020139935.tif 000003
【図２】
2020139935.tif 000004
【図３】
2020139935.tif 000005
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
正面視で、外殻を含み、前記外殻の前後端面はいずれも透明な設計であり、前記外殻の中には空きチャンバが設置され、前記空きチャンバの中には正多面体が設置され、前記正多面体は水晶材料であり、前記正多面体の中には球形チャンバが設置され、前記球形チャンバの中には六角形体が固定的に設置され、前記六角形体の中には砂時計が設置され、前記空きチャンバの中には液体水があり、前記空きチャンバの頂壁には吸気穴が設置され、前記吸気穴の頂端には空気ガイド管が設置され、前記空気ガイド管が左右に対称的に設置され、前記外殻の底部には台座が固定的に設置され、前記空気ガイド管の底部が前記台座の中に挿入されており、前記空きチャンバの左右両側端壁の中には円チャンバが対称的に設置され、前記円チャンバの頂部には伝動チャンバが設置され、前記伝動チャンバの中には前記正多面体を翻転させることができる翻転機構が設置され、それにより砂時計を翻転させることができ、前記台座の中には左右に対称的な底部チャンバが設置され、前記底部チャンバの頂部にはベルトチャンバが設置され、前記空きチャンバの底壁には回転盤が回転できるように設置され、前記回転盤が左右に対称的に設置され、前記底部チャンバの中には泡機構が設置され、前記泡機構が泡を生成し、また前記回転盤により前記空きチャンバの中に排出できることを特徴とする車内水晶飾り。
【請求項２】
前記翻転機構は前記円チャンバの右壁の中に回転できるように設置される翻転軸を含み、前記翻転軸の右端と前記正多面体とが固定的に連結され、前記翻転軸の左側端には歯車が固定的に設置され、前記伝動チャンバと前記円チャンバとの間には導電ラックがスライドできるように設置され、前記導電ラックの下半部分と前記歯車とが噛合するように設置され、前記導電ラックの右端には復帰ブロックが固定的に設置され、前記伝動チャンバの中には扇状歯車が回転できるように設置され、前記扇状歯車と前記導電ラックとが間欠的に噛合でき、前記伝動チャンバの頂壁にはスライド溝が設置され、前記導電ラックの上半部分と前記スライド溝とがスライドできるように連結され、前記スライド溝の中には導電板が固定的に設置され、前記導電板の右側にはイルミネーションが固定的に設置され、前記扇状歯車が回転し、前記導電ラックを間欠的に上下に移動させ、前記導電ラックと前記導電板とを間欠的に接触させ、それにより前記イルミネーションを間欠的に点滅させ、前記導電ラックが歯車を回転連動させ、前記翻転軸に前記正多面体を翻転連動させ、それにより前記砂時計を翻転させることを特徴とする請求項１に記載の車内水晶飾り。
【請求項３】
前記泡機構は前記ベルトチャンバの中に回転できるように設置されるスリーブを含み、前記スリーブの頂端と前記回転盤の底端とが固定され、前記回転盤の中には円溝が設置され、前記回転盤の頂端には排気穴が固定的に設置され、前記排気穴と前記円溝とが連通しており、前記スリーブの底端には第一傘歯車が固定的に設置され、前記第一傘歯車が前記底部チャンバの中に位置しており、前記スリーブの外周にはプーリーが固定的に設置され、二つの前記プーリーの間がベルトにより伝動できるように連結され、二組の前記底部チャンバの間には管路が連通するように設置され、前記管路が前記スリーブを貫通しており、且つ前記円溝と連通しており、また前記管路が前記第一傘歯車と前記スリーブと回転できるように連結され、前記管路の中部には小型ポンプが設置され、前記小型ポンプと前記管路とが連通しており、前記空気ガイド管の底端が後ろに曲がり、また前記ベルトチャンバの後側を経由し前記小型ポンプと連通しており、前記空きチャンバの中にある前記泡が前記吸気穴から前記空気ガイド管の中に入り、そして前記小型ポンプに入り前記管路の中に吸われ、前記排気穴から前記空きチャンバの中に吹かれ、循環を生成し、前記スリーブが前記回転盤を回転連動させることを特徴とする請求項２に記載の車内水晶飾り。
【請求項４】
前記台座の中には左右に対称的な動力チャンバが設置され、前記動力チャンバの中には伝動傘歯車が回転できるように設置され、前記伝動傘歯車と前記扇状歯車とが巻糸により伝動できるように連結され、前記動力チャンバと前記底部チャンバとの間には動力軸が回転できるように設置され、前記動力軸の一端には第二傘歯車が固定的に設置され、前記第二傘歯車と前記第一傘歯車とが噛合しており、前記動力軸の外周には第三傘歯車が固定的に設置され、前記第三傘歯車と前記伝動傘歯車とが噛合するように設置され、左側の前記動力チャンバの左側端壁の中にはモーターが固定的に植設され、前記モーターと左側の前記動力軸とが伝動できるように連結され、前記モーターの作動を制御し、前記動力軸を回転させ、それにより前記第二傘歯車に前記第一傘歯車を回転連動させ、前記第三傘歯車が前記伝動傘歯車を回転連動させ、前記スリーブと前記扇状歯車とを回転できるようにさせることを特徴とする請求項３に記載の車内水晶飾り。
【手続補正２】
【補正対象書類名】明細書
【補正対象項目名】全文
【補正方法】変更
【補正の内容】
【発明の詳細な説明】
【技術分野】
【０００１】
本発明は車内飾り技術分野を取り上げて、具体的には車内水晶飾りである。
【背景技術】
【０００２】
現在の車内飾りは構造が簡単であり、機能が単一であり、飾り作用しか果たさなく、鑑賞性と楽しさが足りなく、従って、鑑賞性が高い車内水晶飾りを設計する必要がある。
【先行技術文献】
【特許文献】
【０００３】
【特許文献１】中国特許出願公開第１０５４８０００１号明細書
【発明の概要】
【発明が解決しようとする課題】
【０００４】
本発明の目的は車内水晶飾りを提供し、それは上記の現在の技術中の問題を解決できる。
【課題を解決するための手段】
【０００５】
本発明の車内水晶飾りは、外殻を含み、前記外殻の前後端面はいずれも透明な設計であり、前記外殻の中には空きチャンバが設置され、前記空きチャンバの中には正多面体が設置され、前記正多面体は水晶材料であり、前記正多面体の中には球形チャンバが設置され、前記球形チャンバの中には六角形体が固定的に設置され、前記六角形体の中には砂時計が設置され、前記空きチャンバの中には液体水があり、前記空きチャンバの頂壁には吸気穴が設置され、前記吸気穴の頂端には空気ガイド管が設置され、前記空気ガイド管が左右に対称的に設置され、前記外殻の底部には台座が固定的に設置され、前記空気ガイド管の底部が前記台座の中に挿入されており、前記空きチャンバの左右両側端壁の中には円チャンバが対称的に設置され、前記円チャンバの頂部には伝動チャンバが設置され、前記伝動チャンバの中には前記正多面体を翻転させることができる翻転機構が設置され、それにより砂時計を翻転させることができ、前記台座の中には左右に対称的な底部チャンバが設置され、前記底部チャンバの頂部にはベルトチャンバが設置され、前記空きチャンバの底壁には回転盤が回転できるように設置され、前記回転盤が左右に対称的に設置され、前記底部チャンバの中には泡機構が設置され、前記泡機構が泡を生成し、また前記回転盤により前記空きチャンバの中に排出できる。
【０００６】
さらなる技術プラン、前記翻転機構は前記円チャンバの右壁の中に回転できるように設置される翻転軸を含み、前記翻転軸の右端と前記正多面体とが固定的に連結され、前記翻転軸の左側端には歯車が固定的に設置され、前記伝動チャンバと前記円チャンバとの間には導電ラックがスライドできるように設置され、前記導電ラックの下半部分と前記歯車とが噛合するように設置され、前記導電ラックの右端には復帰ブロックが固定的に設置され、前記伝動チャンバの中には扇状歯車が回転できるように設置され、前記扇状歯車と前記導電ラックとが間欠的に噛合でき、前記伝動チャンバの頂壁にはスライド溝が設置され、前記導電ラックの上半部分と前記スライド溝とがスライドできるように連結され、前記スライド溝の中には導電板が固定的に設置され、前記導電板の右側にはイルミネーションが固定的に設置され、前記扇状歯車が回転し、前記導電ラックを間欠的に上下に移動させ、前記導電ラックと前記導電板とを間欠的に接触させ、それにより前記イルミネーションを間欠的に点滅させ、前記導電ラックが歯車を回転連動させ、前記翻転軸に前記正多面体を翻転連動させ、それにより前記砂時計を翻転させる。
【０００７】
さらなる技術プラン、前記泡機構は前記ベルトチャンバの中に回転できるように設置されるスリーブを含み、前記スリーブの頂端と前記回転盤の底端とが固定され、前記回転盤の中には円溝が設置され、前記回転盤の頂端には排気穴が固定的に設置され、前記排気穴と前記円溝とが連通しており、前記スリーブの底端には第一傘歯車が固定的に設置され、前記第一傘歯車が前記底部チャンバの中に位置しており、前記スリーブの外周にはプーリーが固定的に設置され、二つの前記プーリーの間がベルトにより伝動できるように連結され、二組の前記底部チャンバの間には管路が連通するように設置され、前記管路が前記スリーブを貫通しており、且つ前記円溝と連通しており、また前記管路が前記第一傘歯車と前記スリーブと回転できるように連結され、前記管路の中部には小型ポンプが設置され、前記小型ポンプと前記管路とが連通しており、前記空気ガイド管の底端が後ろに曲がり、また前記ベルトチャンバの後側を経由し前記小型ポンプと連通しており、前記空きチャンバの中にある前記泡が前記吸気穴から前記空気ガイド管の中に入り、そして前記小型ポンプに入り前記管路の中に吸われ、前記排気穴から前記空きチャンバの中に吹かれ、循環を生成し、前記スリーブが前記回転盤を回転連動させ、それにより吹き出された前記泡をより美しくなるようにさせる。
【０００８】
さらなる技術プラン、前記台座の中には左右に対称的な動力チャンバが設置され、前記動力チャンバの中には伝動傘歯車が回転できるように設置され、前記伝動傘歯車と前記扇状歯車とが巻糸により伝動できるように連結され、前記動力チャンバと前記底部チャンバとの間には動力軸が回転できるように設置され、前記動力軸の一端には第二傘歯車が固定的に設置され、前記第二傘歯車と前記第一傘歯車とが噛合しており、前記動力軸の外周には第三傘歯車が固定的に設置され、前記第三傘歯車と前記伝動傘歯車とが噛合するように設置され、左側の前記動力チャンバの左側端壁の中にはモーターが固定的に植設され、前記モーターと左側の前記動力軸とが伝動できるように連結され、前記モーターの作動を制御し、前記動力軸を回転させ、それにより前記第二傘歯車に前記第一傘歯車を回転連動させ、前記第三傘歯車が前記伝動傘歯車を回転連動させ、前記スリーブと前記扇状歯車とを回転できるようにさせる。
【発明の効果】
【０００９】
本発明の有益的な効果は：本発明の車内水晶飾りは導電ラックと導電板との間欠的な接触により、イルミネーションを点滅させ、同時に排気穴が泡を生成でき、美観性を増加し、同時に砂時計の設計が本発明の楽しさを増加する。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の車内水晶飾りの内部全体構造概略図
【図２】図２は本発明の図１のＡの局部拡大概略図
【図３】図３は本発明の図１のＢの局部拡大概略図
【発明を実施するための形態】
【００１２】
図１〜３を参照し、本発明の車内水晶飾りは、外殻１０を含み、前記外殻１０の前後端面はいずれも透明な設計であり、前記外殻１０の中には空きチャンバ１５が設置され、前記空きチャンバ１５の中には正多面体１６が設置され、前記正多面体１６は水晶材料であり、前記正多面体１６の中には球形チャンバ１８が設置され、前記球形チャンバ１８の中には六角形体１９が固定的に設置され、前記六角形体１９の中には砂時計２０が設置され、前記空きチャンバ１５の中には液体水１７があり、前記空きチャンバ１５の頂壁には吸気穴１４が設置され、前記吸気穴１４の頂端には空気ガイド管２３が設置され、前記空気ガイド管２３が左右に対称的に設置され、前記外殻１０の底部には台座２１が固定的に設置され、前記空気ガイド管２３の底部が前記台座２１の中に挿入されており、前記空きチャンバ１５の左右両側端壁の中には円チャンバ２８が対称的に設置され、前記円チャンバ２８の頂部には伝動チャンバ２４が設置され、前記伝動チャンバ２４の中には前記正多面体１６を翻転させることができる翻転機構６１が設置され、それにより砂時計２０を翻転させることができ、前記台座２１の中には左右に対称的な底部チャンバ４３が設置され、前記底部チャンバ４３の頂部にはベルトチャンバ３７が設置され、前記空きチャンバ１５の底壁には回転盤３３が回転できるように設置され、前記回転盤３３が左右に対称的に設置され、前記底部チャンバ４３の中には泡機構６２が設置され、前記泡機構６２が泡３５を生成し、また前記回転盤３３により前記空きチャンバ１５の中に排出できる。
【００１３】
前記翻転機構６１は前記円チャンバ２８の右壁の中に回転できるように設置される翻転軸２９を含み、前記翻転軸２９の右端と前記正多面体１６とが固定的に連結され、前記翻転軸２９の左側端には歯車３０が固定的に設置され、前記伝動チャンバ２４と前記円チャンバ２８との間には導電ラック２６がスライドできるように設置され、前記導電ラック２６の下半部分と前記歯車３０とが噛合するように設置され、前記導電ラック２６の右端には復帰ブロック２７が固定的に設置され、前記伝動チャンバ２４の中には扇状歯車２５が回転できるように設置され、前記扇状歯車２５と前記導電ラック２６とが間欠的に噛合でき、前記伝動チャンバ２４の頂壁にはスライド溝１１が設置され、前記導電ラック２６の上半部分と前記スライド溝１１とがスライドできるように連結され、前記スライド溝１１の中には導電板１２が固定的に設置され、前記導電板１２の右側にはイルミネーション１３が固定的に設置され、前記扇状歯車２５が回転し、前記導電ラック２６を間欠的に上下に移動させ、前記導電ラック２６と前記導電板１２とを間欠的に接触させ、それにより前記イルミネーション１３を間欠的に点滅させ、前記導電ラック２６が歯車３０を回転連動させ、前記翻転軸２９に前記正多面体１６を翻転連動させ、それにより前記砂時計２０を翻転させる。
【００１４】
前記泡機構６２は前記ベルトチャンバ３７の中に回転できるように設置されるスリーブ５０を含み、前記スリーブ５０の頂端と前記回転盤３３の底端とが固定され、前記回転盤３３の中には円溝３２が設置され、前記回転盤３３の頂端には排気穴３４が固定的に設置され、前記排気穴３４と前記円溝３２とが連通しており、前記スリーブ５０の底端には第一傘歯車４０が固定的に設置され、前記第一傘歯車４０が前記底部チャンバ４３の中に位置しており、前記スリーブ５０の外周にはプーリー３８が固定的に設置され、二つの前記プーリー３８の間がベルト３９により伝動できるように連結され、二組の前記底部チャンバ４３の間には管路４２が連通するように設置され、前記管路４２が前記スリーブ５０を貫通しており、且つ前記円溝３２と連通しており、また前記管路４２が前記第一傘歯車４０と前記スリーブ５０と回転できるように連結され、前記管路４２の中部には小型ポンプ４４が設置され、前記小型ポンプ４４と前記管路４２とが連通しており、前記空気ガイド管２３の底端が後ろに曲がり、また前記ベルトチャンバ３７の後側を経由し前記小型ポンプ４４と連通しており、前記空きチャンバ１５の中にある前記泡が前記吸気穴１４から前記空気ガイド管２３の中に入り、そして前記小型ポンプ４４に入り前記管路４２の中に吸われ、前記排気穴３４から前記空きチャンバ１５の中に吹かれ、循環を生成し、前記スリーブ５０が前記回転盤３３を回転連動させ、それにより吹き出された前記泡３５をより美しくなるようにさせる。
【００１５】
前記台座２１の中には左右に対称的な動力チャンバ４７が設置され、前記動力チャンバ４７の中には伝動傘歯車４６が回転できるように設置され、前記伝動傘歯車４６と前記扇状歯車２５とが巻糸３１により伝動できるように連結され、前記動力チャンバ４７と前記底部チャンバ４３との間には動力軸３６が回転できるように設置され、前記動力軸３６の一端には第二傘歯車４１が固定的に設置され、前記第二傘歯車４１と前記第一傘歯車４０とが噛合しており、前記動力軸３６の外周には第三傘歯車４５が固定的に設置され、前記第三傘歯車４５と前記伝動傘歯車４６とが噛合するように設置され、左側の前記動力チャンバ４７の左側端壁の中にはモーター４８が固定的に植設され、前記モーター４８と左側の前記動力軸３６とが伝動できるように連結され、前記モーター４８の作動を制御し、前記動力軸３６を回転させ、それにより前記第二傘歯車４１に前記第一傘歯車４０を回転連動させ、前記第三傘歯車４５が前記伝動傘歯車４６を回転連動させ、前記スリーブ５０と前記扇状歯車２５とを回転できるようにさせる。
【００１６】
使用するとき、モーター４８を始動し、動力軸３６を緩やかに回転させ、それにより第二傘歯車４１に第一傘歯車４０を回転連動させ、第一傘歯車４０がスリーブ５０を回転連動させ、回転盤３３を回転させ、同時に、第三傘歯車４５が伝動傘歯車４６を回転連動させ、扇状歯車２５を回転させ、それにより導電ラック２６を上下に往復にスライドさせ、それにより翻転軸２９を回転連動させ、正多面体１６を往復に翻転させ、同時に導電ラック２６が間欠的に導電板１２と接続し、イルミネーション１３を点滅させ、小型ポンプ４４を始動し、空きチャンバ１５の中にある泡を吸気穴１４により空気ガイド管２３の中に入らせ、また小型ポンプ４４により管路４２の中に吸われ、排気穴３４に泡を生成させ、美観性を増加する。
【００１７】
本発明の有益的な効果は：本発明の車内水晶飾りは導電ラックと導電板との間欠的な接触により、イルミネーションを点滅させ、同時に排気穴が泡を生成でき、美観性を増加し、同時に砂時計の設計が本発明の楽しさを増加する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。